(57)【要約】【課題】本発明は、人の指で操作するような電子機器であって、指の接触をよる操作指示をより適切に検出できる電子機器を提供することを目的とする。【解決手段】静電容量の変化を検出するタッチパッドデバイス基盤と、タッチパッドデバイス基盤を覆うように配置された飾り部品と、を備えた電子機器であって、飾り部品は、タッチパッドデバイス基盤の上面を覆う部分において、一部の領域と他の領域とで厚みが異なる。また、飾り部品は、使用者が指で前記飾り部品をスライド操作する方向のうち下方向に向けて厚みが薄くなるように構成してもよい。【選択図】図１
2013149126.tif 000002
【特許請求の範囲】
【請求項１】
静電容量の変化を検出するタッチパッドデバイス基盤と、
前記タッチパッドデバイス基盤を覆うように配置された飾り部品と、を備えた電子機器であって、
前記飾り部品は、前記タッチパッドデバイス基盤の上面を覆う部分において、一部の領域と他の領域とで厚みが異なる、
電子機器。
【請求項２】
前記飾り部品は、使用者が指で前記飾り部品をスライド操作する方向のうち下方向に向けて厚みが薄くなるように構成される、
請求項１に記載の電子機器。
【請求項３】
前記電子機器は、リモコンである、
請求項１又は２に記載の電子機器。
【発明の詳細な説明】
【技術分野】
【０００１】
本発明は電子機器に関し、特に、タッチパッドデバイスを有する電子機器に関する。
【背景技術】
【０００２】
特許文献１は、感圧タブレットを開示する。この感圧タブレットは、タッチされたと検出するための閾値を感圧面の分割領域毎に個別に格納できる。これにより、この感圧タブレットは、感圧面の分割領域毎に感度を自由に設定できる。
【先行技術文献】
【特許文献】
【０００３】
【特許文献１】特開平５−１４３２２６号公報
【発明の概要】
【発明が解決しようとする課題】
【０００４】
しかしながら、上記特許文献１に開示されている感圧タブレットは入力ペンで操作を行うものである。従って、この感圧タブレットを操作するときの入力ペンの感圧タブレットに対する接触面積は一定である。一方、人の指で操作する電子機器であって、タッチパッドデバイスを有するようなものが存在する。このような電子機器においては、人の指の当て方によりタッチパッドデバイスに対する接触面積が変わってくる。接触面積が小さくなったような場合に、指の接触を検出できないような場合もでてくる。
【０００５】
本発明は、人の指で操作するような電子機器であって、指の接触をよる操作指示をより適切に検出できる電子機器を提供することを目的とする。
【課題を解決するための手段】
【０００６】
上記課題を解決するために本発明にかかる電子機器は、静電容量の変化を検出するタッチパッドデバイス基盤と、タッチパッドデバイス基盤を覆うように配置された飾り部品と、を備えた電子機器であって、飾り部品は、タッチパッドデバイス基盤の上面を覆う部分において、一部の領域と他の領域とで厚みが異なる。
【発明の効果】
【０００７】
これにより、人の指で操作するような電子機器であって、指の接触による操作指示をより適切に検出できる電子機器を提供できる。
【図面の簡単な説明】
【０００８】
【図１】実施の形態１に係るリモコンの外観斜視図
【図２】実施の形態１に係るリモコンの分解斜視図
【図３】実施の形態１に係る飾り部品とタッチパッドデバイスとの関係を示す模式図
【図４】比較対象としての飾り部品とタッチパッドデバイスとの関係を示す模式図
【図５】実施の形態２に係る飾り部品とタッチパッドデバイスとの関係を示す模式図
【図６】実施の形態３に係る飾り部品とタッチパッドデバイスとの関係を示す模式図
【発明を実施するための形態】
【０００９】
本発明をリモコンに適用した実施の形態１について図面を用いて説明する。
【００１０】
（実施の形態１）
１．概要
リモコン１００は、レコーダやテレビの操作を行なうためのリモコンである。使用者はリモコン１００の各ボタンを押下することで、レコーダやテレビ等の外部装置を操作できる。
【００１１】
飾り部品１１０は、タッチ操作が可能な領域である。使用者は、飾り部品１１０を指で押さえたり、なぞったりすることでレコーダやテレビが出力している画面上の十字釦を操作したり、画面のスクロール操作をすることができる。
【００１２】
リモコン１００は、人の指で操作するような電子機器であって、指の接触による操作指示をより適切に検出できる。
【００１３】
２．各部品の説明
リモコン１００は、中央にタッチ操作可能な領域を持つリモコンである。飾り部品１１０は、リモコン１００の外観を構成する部品であり、樹脂製である。飾り部品１１０は、タッチパッドデバイス１１１が外観に露出するのを防ぐための部品であり、必ずしもトップケース１１３と別体である必要は無い。
【００１４】
タッチパッドデバイス１１１は静電容量の変化を検出し、使用者が飾り部品１１０に触れて行なった操作を検出する機能を持つ基板である。タッチパッドデバイス１１１の静電容量変化の検出感度は飾り部品１１０の物性・板厚により変化し、板厚が薄いほうがより感度が高くなる。リモコン本体１１２は、リモコン１００から飾り部品１１０、タッチパッドデバイス１１１が除かれたものである。トップケース１１３は、樹脂製であり、リモコン本体１１２の上面ケースである。
【００１５】
３．飾り部品とタッチパッドデバイスとの関係
図３（ａ）に飾り部品１１０とタッチパッドデバイス１１１の関係を示す。飾り部品１１０とタッチパッドデバイス１１１とは両面テープにより固定されている。飾り部品１１０は、タッチパッドデバイス１１１との接触面に勾配の付いた偏肉構造となっている。タッチパッドデバイス１１１は、リモコン１００に対して傾斜した状態で取付けられている。
【００１６】
飾り部品１１０は勾配の付いた偏肉構造なので、タッチパッドデバイス１１１が静電容量変化を検出する感度は同様に勾配を持つ。図３（ｂ）に示す様に、使用者の指先は、手元から遠い点Ａでは伸び、飾り部品１１０との接触面積を広く保っている。この場合、タッチパッドデバイス１１１は、静電容量変化を安定して検出し、使用者の操作を適切に検出できる。一方、手元から近い点Ｂでは、指先が立ち、飾り部品１１０との接触面積が減少する。
【００１７】
そこで、本実施の形態にかかるリモコン１００においては、飾り部品１１０の板厚を点Ｂで点Ａよりも薄くしている。これにより、リモコン１００は、点Ｂでのタッチパッドデバイス１１１の静電容量変化の検出感度が点Ａでの検出感度より高くできる。その結果、リモコン１００は、少ない接触面積でも安定して静電容量変化を検出できる。
【００１８】
仮に、図４に示すように飾り部品１１０の板圧がどの位置においても均一であったとする。この場合には、タッチパッドデバイス１１１に感度の勾配が発生しない。その結果、点Ｂのように指の接触面積が小さくなるような位置において、静電容量の変化を適切に検出できないような場合がある。本実施の形態に係るリモコン１００のように、飾り部品１１０のうちタッチパッドデバイス１１１の上面を覆う部分において、一部の領域と他の領域とで厚みを変えることで、指の接触面積が小さくなるような位置においても静電容量の変化を適切に検出できる。
【００１９】
特に、本実施の形態に係るリモコン１００において、タッチパッドデバイス１１１の板圧は、使用者が指で飾り部品１１０をスライド操作する方向のうち下方向に向けて厚みが薄くなるように構成されている。これにより、使用者が片手で操作し、指を上下にスライド操作するようなリモコンにおいても、静電容量の変化を適切に検出できる。
【００２０】
（実施の形態２）
本実施の形態に係るリモコン１００は、飾り部品とタッチパッドデバイスとの関係のみが実施の形態１と異なる。従って、本項目では異なる構成についてのみ説明する。
【００２１】
本実施の形態にかかるリモコン１００において、飾り部品１１０の外観面には直線的な勾配が付いている。一方、タッチパッドデバイス１１１は、リモコン１００に対して傾斜していない。このような構成においても、指の接触面積が小さくなる位置程、飾り部品１１０の板圧が薄くなっている。その結果、リモコン１００は、指の接触面積が小さくなるような位置においても静電容量の変化を適切に検出できる。
【００２２】
（実施の形態３）
本実施の形態に係るリモコンは、飾り部品とタッチパッドデバイスとの関係のみが実施の形態１と異なる。従って、本項目では異なる構成についてのみ説明する。
【００２３】
本実施の形態にかかるリモコン１００において、飾り部品１１０の外観面に曲線的な勾配が付いている。一方、タッチパッドデバイス１１１は、リモコン１００に対して傾斜していない。このような構成においても、指の接触面積が小さくなる位置程、飾り部品１１０の板圧が薄くなっている。なお、この場合において、接触感度の変化は実施の形態１や２のように線形的にはならず、非線形的になる。従って、指の操作による接触面積の変化が線形的にならず非線形になるような場合には、本実施の形態の構成がより効果的になる。
【産業上の利用可能性】
【００２４】
本発明はリモコンやスマートフォン等の電子機器に適用できる。
【符号の説明】
【００２５】
１００    リモコン
１１０    飾り部品
１１１    タッチパッドデバイス
１１２    リモコン本体
１１３    トップケース
【図１】
2013149126.tif 000003
【図２】
2013149126.tif 000004
【図３】
2013149126.tif 000005
【図４】
2013149126.tif 000006
【図５】
2013149126.tif 000007
【図６】
2013149126.tif 000008